(57)【要約】  意図しない破損を抑えられる可撓性シートからなり、梱包作業性や緩衝材の保持安定性が良好であるとともに、吊り下げ設置や壁掛け設置の作業性が良好な袋状の可撓性容器を提供する。  可撓性シート１からなり、一端に開口部２を有する袋状に形成されており、開口部２から挿入された物品７を収容可能な可撓性容器が、外部に向かって凸状の複数の山状部３と、外部に向かって凹状の複数の谷状部４と、開口部２に形成された切り欠き部５とを有する。山状部３と谷状部４は、可撓性シート１に交互に設けられており、開口部２に対して直交または斜交する方向にそれぞれ延びている。
2012120684.tif 000002
【特許請求の範囲】
【請求項１】
可撓性シートからなり、一端に開口部を有する袋状に形成されており、前記開口部から挿入された物品を収容可能な可撓性容器であって、
前記開口部に形成された切り欠き部を有する可撓性容器。
【請求項２】
前記可撓性シートに交互に設けられており、前記開口部に対して直交または斜交する方向にそれぞれ延びている、外部に向かって凸状の複数の山状部および外部に向かって凹状の複数の谷状部をさらに有する、請求項１に記載の可撓性容器。
【請求項３】
複数の前記山状部と複数の前記谷状部は互いに平行である、請求項２に記載の可撓性容器。
【請求項４】
前記切り欠き部は、前記開口部の、前記山状部または前記谷状部と交わる位置に形成されている、請求項２または３に記載の可撓性容器。
【請求項５】
前記可撓性シートは、無架橋高発泡ポリエチレンシートにポリエチレンフィルムをラミネートされたものである、請求項１から４のいずれか１項に記載の可撓性容器。
【請求項６】
可撓性シートからなり、一端に開口部を有する袋状に形成されている可撓性容器を部分的に引き裂く方法であって、
前記開口部に形成された切り欠き部を起点として引き裂きを開始することを含む、可撓性容器を部分的に引き裂く方法。
【請求項７】
前記切り欠き部を起点として開始された引き裂き部を、前記可撓性シートに交互に設けられており、前記開口部に対して直交または斜交する方向にそれぞれ延びている、外部に向かって凸状の複数の山状部または外部に向かって凹状の複数の谷状部のいずれかに沿って拡張させることをさらに含む、請求項６に記載の可撓性容器を部分的に引き裂く方法。
【請求項８】
可撓性シートからなり、一端に開口部を有する袋状に形成されている可撓性容器から物品を取り出す方法であって、
前記開口部に形成された切り欠き部を起点として引き裂きを開始することと、
前記物品を前記可撓性容器から完全に取り出すことなく、前記物品の所定の位置に前記物品の取り付け部材を固定することと、
前記取り付け部材が固定された前記物品を前記可撓性容器から取り出すことと
を含む可撓性容器から物品を取り出す方法。
【請求項９】
前記物品はプロジェクタであることを特徴とする、請求項８に記載の可撓性容器から物品を取り出す方法。
【発明の詳細な説明】
【技術分野】
【０００１】
本発明は可撓性容器およびその引き裂き方法に関する。
【背景技術】
【０００２】
様々な物品を梱包するために可撓性シートが広く用いられている。可撓性シートで物品を包み込むようにして梱包すると、梱包作業性が悪く、落下等の衝撃から物品を守るための緩衝材を物品と同時に梱包する場合には、その緩衝材を物品とともに安定して保持することが難しいという問題がある。そこで、可撓性シートを、一端に開口部を有する袋状にして、内部に様々な物品を収容可能な可撓性容器が形成されている（特許文献１〜３）。このような袋状の可撓性容器は、内部に収容された物品の、輸送時の振動や衝撃等による損傷の危険性を小さく抑えることができる。【０００３】
物品梱包用の可撓性シートの一例としては、無架橋高発泡ポリエチレンシート（例えば株式会社ＪＳＰ製ミラマット（登録商標））が挙げられる。しかし、無架橋高発泡ポリエチレンシートをそのまま用いて物品を梱包すると、破れ易く、輸送時の振動や衝撃等による物品の損傷を十分に防止できないおそれがある。そのため、無架橋高発泡ポリエチレンシートにポリエチレンフィルムをラミネートして強化した可撓性シートを物品の梱包用に用いる場合がある。この可撓性シートは破れにくく、意図しない破損を抑えることができる。前記した梱包作業性や、緩衝材を物品とともに保持する際の安定性を考慮すると、この可撓性シートを用いて袋状の可撓性容器を形成し、それを用いて物品を収容することが好ましい。無架橋高発泡ポリエチレンシートにポリエチレンフィルムをラミネートして強化した可撓性シートからなる袋状の可撓性容器は、内部に収容された物品の、輸送時の振動や衝撃等による損傷の危険性を小さく抑えることができるため、プロジェクタやテレビ等の家電製品の梱包に用いられている。
【先行技術文献】
【特許文献】
【０００４】
【特許文献１】特開２０００−２５５６４０号公報
【特許文献２】特開２０１０−２４１４４８号公報
【特許文献３】特開平１０−１６７２８７号公報
【発明の概要】
【発明が解決しようとする課題】
【０００５】
プロジェクタやテレビ等の家電製品は、物品自体が自立するように設置される床置き設置以外に、物品が天井から吊り下げられる吊り下げ設置や、物品が壁に掛けられる壁掛け設置が行われる場合がある。吊り下げ設置や壁掛け設置の場合には、天井吊り下げユニットや壁掛けユニットを介して天井または壁に物品が取り付けられる。具体的には、天井吊り下げユニットや壁掛けユニットの一部分を、物品自体と天井または壁の各々にそれぞれ固定し、その後に、物品に固定された部分と天井または壁に固定された部分とを互いに連結させて、吊り下げ設置や壁掛け設置が完了する場合がある。【０００６】
このような設置方法では、物品を袋状の可撓性容器から完全に取り出すか、または袋状の可撓性容器の一部を引き裂いて物品を部分的に露出させてから、天井吊り下げユニットや壁掛けユニットの一部分を固定する必要がある。【０００７】
物品を袋状の可撓性容器から完全に取り出す場合には、物品の損傷防止のために、物品を取り出した後の袋状の可撓性容器を薄く畳んで物品の下敷きにして、天井吊り下げユニットや壁掛けユニットの一部分の固定作業を行うことが好ましい。しかし、物品の取り出しや、可撓性容器を折り畳んで下敷きにする作業のために、作業性が悪いという問題がある。一方、袋状の可撓性容器の一部を引き裂く場合には、前記したように無架橋高発泡ポリエチレンシートにポリエチレンフィルムをラミネートして強化した可撓性シートは破れにくいため、引き裂き作業が容易ではないという問題がある。【０００８】
もちろん、天井吊り下げユニットや壁掛けユニットの一部分を固定する際の作業性のみを考えると、可撓性シートを袋状に形成することなくそのまま用いて物品を包み込む場合、物品が容易に取り出せるため吊り下げ設置や壁掛け設置の作業性は良い。しかし、その場合には、前記したように梱包作業性や、緩衝材を物品とともに保持する際の安定性が悪いという問題がある。また、ポリエチレンフィルムをラミネートしていない無架橋高発泡ポリエチレンシートを用いると、天井吊り下げユニットや壁掛けユニットの一部分を固定する際の引き裂きが容易であるが、前記したように破れ易く、意図しない破損を生じ易いという問題がある。【０００９】
そこで本発明の目的は、上述した課題を解決して、意図しない破損を抑えられる可撓性シートからなり、梱包作業性や緩衝材の保持安定性が良好であるとともに、吊り下げ設置や壁掛け設置の作業性が良好な袋状の可撓性容器と、その引き裂き方法を提供することにある。
【課題を解決するための手段】
【００１０】
本発明は、可撓性シートからなり、一端に開口部を有する袋状に形成されており、開口部から挿入された物品を収容可能な可撓性容器において、開口部に形成された切り欠き部を有することを特徴とする。そして、可撓性シートに交互に設けられており、開口部に対して直交または斜交する方向にそれぞれ延びている、外部に向かって凸状の複数の山状部および外部に向かって凹状の複数の谷状部をさらに有していてもよい。
【発明の効果】
【００１１】
本発明によると、開口部に設けられている切り欠き部を起点として容易に可撓性シートの引き裂きを開始することができる。さらに、可撓性シートに山状部および谷状部が設けられている場合には、その山状部または谷状部のいずれかに沿って引き裂きを続行することにより、可撓性シートを直線的に所望の位置まで引き裂くことが容易にできる。
【図面の簡単な説明】
【００１２】
【図１】本発明の一実施形態の可撓性容器を示す斜視図である。
【図２】図１に示す可撓性容器の引き裂き方法の一部を示す斜視図である。
【図３】本発明の可撓性容器の切り欠き部の変形例を示す拡大図である。
【発明を実施するための形態】
【００１３】
以下、本発明の実施の形態について図面を参照して説明する。
【００１４】
図１，２に示す本発明の可撓性容器は、可撓性シート１からなり、一端に開口部２を有する袋状に形成されている。本実施形態の可撓性シート１は、無架橋高発泡ポリエチレンシートにポリエチレンフィルムをラミネートされたものである。この可撓性シート１には、外部に向かって凸状の複数の山状部３と、外部に向かって凹状の複数の谷状部４とが設けられている。複数の山状部３と複数の谷状部４は、可撓性シート１に交互に配置され、互いに平行であって、開口部２に対して直交する方向に直線的に延びている。ただし、開口部２に対して斜交する方向に延びていてもよい。山状部３および谷状部４は、図１，２の一部に１点鎖線と２点鎖線で模式的に示されている。実際には、図示されているように明確に折り目付けられているわけではなく、可撓性シート１は、湾曲した凸状の部分（山状部３）と湾曲した凹状の部分（谷状部４）とが交互に並んだ波状に形成されている。波状に形成された可撓性シート１は、山状部３と谷状部４の配列に合わせて部分的に厚さが変動していてもよく、厚さが一定であってもよい。ただし、山状部３および谷状部４が、明確な頂点を有するようにはっきり折り目付けられた折り線状である構成も、本発明では除外されない。
【００１５】
開口部２には、半径１０ｍｍ程度の半円形の複数（図示されている例では２つ）の切り欠き部５が形成されている。
【００１６】
本実施形態の可撓性容器は、開口部２から挿入された物品７（図１，２に模式的に図示）を内部に収容可能であり、輸送時の振動や衝撃等による物品７の損傷の危険性を小さく抑えることができる。さらに、可撓性容器が袋状であるため、緩衝材を物品７とともに安定して保持することができる。また、本実施形態の可撓性シート１は無架橋高発泡ポリエチレンシートにポリエチレンフィルムをラミネートされた構成であるため、破れにくく、可撓性容器の意図しない破損を抑えることができる。
【００１７】
可撓性容器に収容している物品７に、図示しない天井吊り下げユニットや壁掛けユニットの一部分（取り付け部材）８（図２に模式的に図示）を固定するために、物品７の一部（被固定部）を露出させることがある。その際に、本実施形態では、使用者が可撓性シート１を容易に引き裂いて、物品７の被固定部を露出させることができる。具体的には、使用者は、図２に示すように、開口部２に設けられている切り欠き部５（特に半円形のほぼ中央部分）を起点として可撓性シート１を引き裂き始め、引き裂き部６を山状部３または谷状部４のいずれかに沿って拡張させて、物品７の被固定部が十分に露出するまで可撓性シート１を直線的に引き裂く。
【００１８】
無架橋高発泡ポリエチレンシートは、押し出し成形により形成されており、適度な伸長性を持たせるために山状部３および谷状部４が形成されている。そして、山状部３および谷状部４に隣接する位置、すなわち、山状部３と谷状部４の間の位置では引張強度が低下し、裂け易いという特性を有している。従って、使用者が意図的に可撓性シート１を引き裂くと、可撓性シート１の山状部３および谷状部４に隣接する位置における引張強度の差により、ナイフ等の刃物を使うことなくほぼ直線的に容易に引き裂くことができる。しかも、開口部２に切り欠き部５が設けられているため、この切り欠き部５を起点として容易に引き裂き始めることができる。特に、切り欠き部５が、開口部２の、山状部３および谷状部４と交差する位置に形成されている場合には、引き裂き開始から直線的に所望の位置まで引き裂くことが容易にできる。
【００１９】
従って、物品７を袋状の可撓性容器から完全に取り出すことなく、物品７の所定の位置（被固定部）に天井吊り下げユニットや壁掛けユニットの一部分８を容易に固定することが可能である。そして、これらのユニットの一部分８を取り付けた状態で、物品７を可撓性容器から取り出すことができる。その結果、吊り下げ設置や壁掛け設置の作業性が向上する。特に、質量が大きく取り廻しが煩雑な物品７の吊り下げ設置や壁掛け設置を行う場合に効果的である。物品７としては、例えば、液晶モニタ、プラズマモニタ、プロジェクタなどの表示装置がある。表示装置の取り付け部材８として、天井吊り下げユニットや壁掛けユニットなどがある。
【００２０】
可撓性シート１に、断続的な分断部を有するミシン目状の切断線が設けられている場合や、連続的または断続的に弱化樹脂層を有する切断線が設けられている場合には、たとえ可撓性シート１が無架橋高発泡ポリエチレンシートにポリエチレンフィルムをラミネートされた構成であったとしても、破れ易く、意図しない破損を生じる可能性がある。しかし、本発明では、可撓性シート１に山状部３および谷状部４が設けられているだけなので、意図しない破損を生じる可能性は低い。すなわち、本発明では、山状部３や谷状部４自体の強度が弱いわけではなく、山状部３および谷状部４に隣接する位置における引張強度の差を利用している。従って、ミシン目状の切断線や弱化樹脂層を有する切断線のように切断線自体の強度が弱い構成に比べて、ある程度の強度が維持され、意図しない破れを生じる可能性は小さい。その代わり、切り欠き部５が設けられているため、使用者が意図的に引き裂きを開始することは容易である。そして、このように容易に引き裂きを開始した後は、前記した引張強度の差によって容易に山状部３および谷状部４に沿って引き裂くことができ、所望の位置まで直線的に引き裂くことができる。山状部３および谷状部４に沿って直線的に引き裂くことが容易にできるため、引き裂き部６が意図しない方向に進行して必要以上に可撓性容器を破損したり物品７の不必要な個所を露出させたりすることがない。
【００２１】
本実施形態では、開口部２が形成された切り欠き部５が半円形であるため、あまり大きな応力集中が生じず、意図しない引き裂きが起こりにくい。ただし、図３（ａ），（ｂ）に示すように、半円形ではなく、半楕円形や半多角形（図示されている例では半六角形状）の切り欠き部５を形成することもできる。いずれの場合も、あまり大きな応力集中が生じないような形状であることが好ましい。それにより、物品７を可撓性容器内に収容する梱包作業時に可撓性容器が強く引っ張られることがあっても、切り欠き部５への応力集中を避けることができ、梱包作業時の可撓性容器の破損を抑えることができる。
【００２２】
切り欠き部５は、前記したように可撓性シート１の引き裂き開始を容易にするとともに、物品７の所定の個所（例えば天井吊り下げユニットまたは壁掛けユニットの一部分８が固定される被固定部）を露出させるために必要な引き裂き位置を使用者に示す働きもある。言い換えると、切り欠き部５は、物品７の所定の位置（例えば被固定部）を露出させるために必要な引き裂き位置に形成することが好ましい。
【００２３】
切り欠き部５は、必要に応じて、１つだけ形成しても複数形成してもよい。そして、図１，２に示すように開口部２を形成する一方の辺にのみ複数の切り欠き部５を形成しても、両方の辺に切り欠き部５を形成してもよい。
【００２４】
山状部３および谷状部４は、切り欠き部５の数と同数だけ形成してもよい。ただし、可撓性シート１の押し出し成形時に、適度な伸長性を持たせるために形成される凹凸形状を利用する場合には、可撓性シート１の全面にわたって多数の山状部３および谷状部４が形成される。この場合、成形後の可撓性シート１に山状部３および谷状部４を形成するための特別な作業を必要としないため、製造工程が煩雑にならない。
【００２５】
複数の山状部３および谷状部４が形成される場合には、山状部３および谷状部４が互いに交差することにより引き裂き部６の進行方向が１つに限定されないことを避けるため、互いに平行であることが好ましい。その場合、山状部３および谷状部４は、開口部２に直交する方向に延びていてもよいし、斜交する方向に延びていてもよい。
【符号の説明】
【００２６】
１  可撓性シート
２  開口部
３  山状部
４  谷状部
５  切り欠き部
６  引き裂き部
７  物品
８  取り付け部材（天井吊り下げユニットまたは壁掛けユニットの一部分）
【図１】
2012120684.tif 000003
【図２】
2012120684.tif 000004
【図３】
2012120684.tif 000005
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
可撓性シートからなり、一端に開口部を有する袋状に形成されている可撓性容器から物品を取り出す方法であって、
前記開口部に形成された切り欠き部を起点として引き裂きを開始することと、
前記物品を前記可撓性容器から完全に取り出すことなく、前記物品の所定の位置に前記物品の取り付け部材を固定することと、
前記取り付け部材が固定された前記物品を前記可撓性容器から取り出すことと
を含む可撓性容器から物品を取り出す方法。
【請求項２】
前記物品はプロジェクタであることを特徴とする、請求項１に記載の可撓性容器から物品を取り出す方法。
【手続補正３】
【補正対象書類名】明細書
【補正対象項目名】０００１
【補正方法】変更
【補正の内容】
【０００１】
本発明は可撓性容器から物品を取り出す方法に関する。
【手続補正４】
【補正対象書類名】明細書
【補正対象項目名】０００９
【補正方法】変更
【補正の内容】
【０００９】
そこで本発明の目的は、上述した課題を解決して、意図しない破損を抑えられる可撓性シートからなり、梱包作業性や緩衝材の保持安定性が良好であるとともに、吊り下げ設置や壁掛け設置の作業性が良好な袋状の可撓性容器から物品を取り出す方法を提供することにある。
【手続補正５】
【補正対象書類名】明細書
【補正対象項目名】００１０
【補正方法】変更
【補正の内容】
【００１０】
本発明は、可撓性シートからなり、一端に開口部を有する袋状に形成されている可撓性容器から物品を取り出す方法において、開口部に形成された切り欠き部を起点として引き裂きを開始することと、物品を可撓性容器から完全に取り出すことなく、物品の所定の位置に物品の取り付け部材を固定することと、取り付け部材が固定された物品を可撓性容器から取り出すこととを含むことを特徴とする。物品はプロジェクタであってもよい。
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
可撓性シートからなり、一端に開口部を有する袋状に形成されている可撓性容器から物品を取り出す方法であって、
前記開口部に形成された切り欠き部を起点として引き裂きを開始することと、
前記物品を前記可撓性容器から完全に取り出すことなく、前記物品の所定の位置に前記物品の取り付け部材を固定することと、
前記取り付け部材が固定された前記物品を前記可撓性容器から取り出すことと
を含む可撓性容器から物品を取り出す方法。
【請求項２】
前記物品はプロジェクタであることを特徴とする、請求項１に記載の可撓性容器から物品を取り出す方法。
【請求項３】
前記可撓性シートには、前記開口部に対して延びる山状部と谷状部とが設けられていることを特徴とする、請求項１または２に記載の可撓性容器から物品を取り出す方法。
【国際調査報告】
2012120684.tif 000006
2012120684.tif 000007
2012120684.tif 000008
2012120684.tif 000009